(57)【要約】第１の対象物（１８）上のタグ（１１）、少なくとも第２の対象物（９）上のタグ（１９）及びプロセッサを有する携帯通信機器（１２）を含むことができる対象物の一緒の使用をコーディネートするためのシステム（１０）。好適には、プロセッサは、第１の対象物上のタグから及び少なくとも第２の対象物上のタグから情報を読み取り、第１の対象物及び少なくとも第２の対象物に関するデータ（１５）を検索し、第１の対象物及び少なくとも第２の対象物の使用に関する規則（１４）を検索するようにプログラムすることが好ましい。規則は、着衣規則であっても、食品規則であっても、薬剤規則であっても、又は他のコーディネート規則であってもよい。プロセッサは、さらに、規則を適用し、個人にフィードバックするようにプログラムすることができる。携帯通信機器は、さらに、バーコード走査装置、又は別の方法としては、ＲＦＩＤから情報を読み取るためのトランシーバを含むことができる。
2007525739.tif 000002
【特許請求の範囲】
【請求項１】
対象物を一緒に使用する妥当性をコーディネートするための方法であって、
ある個人が使用する第１の対象物から情報を読み取るステップと、
前記対象物に関するデータを検索するステップと、
ある個人が使用する少なくとも第２の対象物から情報を読み取るステップと、
少なくとも前記第２の対象物に関するデータを検索するステップと、
少なくとも前記第２の対象物と一緒に前記第１の対象物を使用する妥当性を表示する規則を適用するステップとを備える方法。
【請求項２】
前記第１の対象物及び少なくとも前記第２の対象物は衣類の物品である請求項１に記載の方法。
【請求項３】
前記第１の対象物及び少なくとも前記第２の対象物は薬剤容器である請求項１に記載の方法。
【請求項４】
前記第１の対象物及び少なくとも前記第２の対象物から情報を読み取る前記ステップは、前記第１の対象物及び少なくとも前記第２の対象物のうちの少なくとも一方に付されたラベル上のバーコードから情報を読み取るステップからなる請求項１に記載の方法。
【請求項５】
前記第１の対象物及び少なくとも前記第２の対象物から情報を読み取る前記ステップは、前記第１の対象物及び少なくとも前記第２の対象物のうちの少なくとも一方に付された無線周波識別子タグから情報を無線で読み取るステップからなる請求項１に記載の方法。
【請求項６】
前記第１の対象物についてのデータを検索する前記ステップ、及び少なくとも前記第２の対象物についてのデータを検索する前記ステップは、無線ネットワーク接続を介してリモート・サーバからデータを検索するステップからなる請求項１に記載の方法。
【請求項７】
対象物を一緒に使用する妥当性をコーディネートするためのシステムであって、
ある個人が使用する第１の対象物上のタグと、
前記個人が使用する少なくとも第２の対象物上のタグと、
前記第１の対象物上の前記タグ及び少なくとも前記第２の対象物上の前記タグから情報を読み取り、
前記第１の対象物及び少なくとも前記第２の対象物に関するデータを検索し、
前記第１の対象物及び少なくとも前記第２の対象物の使用に関する規則を検索し、
前記第１の対象物及び少なくとも前記第２の対象物の使用に前記規則を適用し、及び
前記個人にフィードバックする
ようにプログラムされているプロセッサを有する携帯通信機器とを備えるシステム。
【請求項８】
前記携帯通信機器は、前記第１の対象物及び前記第２の対象物のうちの少なくとも一方上のバーコードを走査するためのバーコード走査装置をさらに備える請求項７に記載のシステム。
【請求項９】
前記第１の対象物上の前記タグ及び少なくとも前記第２の対象物上の前記タグは無線周波識別タグであり、前記携帯通信機器は、前記無線周波識別タグから無線で情報を読み取るためのトランシーバをさらに備える請求項７に記載のシステム。
【請求項１０】
前記システムが、前記第１の対象物及び少なくとも前記第２の対象物に関するデータを有するデータベース、及び前記第１の対象物及び少なくとも前記第２の対象物の使用に関する前記規則を含んでいるデータベースのうちの少なくとも１つを含むリモート・サーバへの接続をさらに備える請求項７に記載のシステム。
【発明の詳細な説明】
【技術分野】
【０００１】
本発明は、概して、対象物のコーディネートに関し、より詳細には、無線技術を使用して、対象物の一緒の使用をコーディネートするためのシステム及び方法に関する。
【背景技術】
【０００２】
盲人、視覚障害者又は単にファッションにセンスのない人の場合には、一組のファッション指針に合わせて衣類の全体的調和をコーディネートするのが難しい場合がある。盲人又は視覚障害者の場合には、このことは特に難しく、これらの人々は、通常、衣類を選択する際に他の人の助けが必要であり、又はブライユ点字タグに依存している。同様に、多くの、処方薬を服用している人々又は一般的にどんな食物の組合せがよいのかをよく知らない人々は、自分達が食品又は薬剤を摂取する前に適当な指針を知ることができない。所定の食事に合う特定のワインを選択するのさえ大部分の人々にとって難しい場合がある。現在では、適当な知識又は経験を有していない限り、対象物のこのような組合せの使用のコーディネートは、一般的に、成り行きまかせであるか、退屈な機械的な方法により行われる。
【発明の開示】
【発明が解決しようとする課題】
【０００３】
それ故、無線通信を使用する上記障害を克服する対象物の使用をコーディネートする比較的簡単な他のシステム及び方法が求められている。
【課題を解決するための手段】
【０００４】
本発明のある実施形態の第１の態様によれば、対象物を一緒に使用する妥当性をコーディネートするための方法は、ある個人が使用する第１の対象物及び少なくとも第２の対象物から情報を読み取るステップと、第１及び第２の対象物に関するデータを検索するステップと、第１の対象物を少なくとも第２の対象物と一緒に使用する妥当性を表示する規則を適用するステップとを含むことができる。第１及び第２の対象物は、衣類又は薬剤容器、又は薬剤自身の物品であってもよい。情報を読み取るステップは、例えば、バーコードから又は無線周波識別子からの読み取りステップを含むことができる。検索ステップは、無線ネットワーク接続を介してリモート・サーバからデータを検索することができる。妥当性を表示する規則を適用するステップは、第１の対象物及び少なくとも第２の対象物から検索した情報に着衣規則を適用するステップ、又は特定の薬剤を使用する妥当性を表示する薬剤規則又は任意の他の規則セットを適用するステップを含むことができる。さらに、好適には、任意の所与の規則セットをユーザがカスタマイズすることができることが好ましいことに留意されたい。
【０００５】
第２の態様によれば、対象物を一緒に使用する妥当性をコーディネートするためのシステムは、ある個人が使用する第１の対象物上のタグ、その個人が使用する少なくとも第２の対象物上のタグ、及びプロセッサを有する携帯通信機器を含むことができる。好適には、プロセッサは、第１の対象物上のタグから及び少なくとも第２の対象物上のタグから情報を読み取り、第１の対象物及び少なくとも第２の対象物に関するデータを検索し、第１の対象物及び少なくとも第２の対象物の使用に関する規則を検索するようにプログラムすることが好ましい。規則は、着衣規則であっても、食品規則であっても、薬剤規則であっても、又は任意の他のコーディネート規則であってもよい。プロセッサは、また、さらに、第１の対象物及び少なくとも第２の対象物の使用に規則を適用し、個人にフィードバックするようにプログラムすることができる。携帯通信機器は、さらに、第１の対象物及び第２の対象物のうちの少なくとも１つの対象物上のバーコードを走査するためのバーコード走査装置、又は別の方法としては、対象物と結合している無線周波識別タグから無線で情報を読み取るためのトランシーバを含むことができる。
【０００６】
第３の態様によれば、本発明によるある実施形態は、第１の対象物上のタグから及び少なくとも第２の対象物上のタグから情報を読み取るための手段、第１の対象物及び少なくとも第２の対象物に関するデータを検索するための手段、第１の対象物及び少なくとも第２の対象物の使用に関する規則を検索するための手段、第１の対象物及び少なくとも第２の対象物の使用に規則を適用するための手段、及び第１の対象物及び少なくとも第２の対象物の使用に関するフィードバックを行うための手段を有する携帯通信機器を備えることができる。
【発明を実施するための最良の形態】
【０００７】
図１を参照すると、対象物を一緒に使用する妥当性をコーディネートするためのシステム１０は、ある個人が使用する第１の対象物１１上のタグ１８と、その個人が使用する少なくとも第２の対象物９上のタグ１９と、プロセッサを有する携帯通信機器１２とを含むことができる。好適には、プロセッサは、第１の対象物１１上のタグ１８から及び少なくとも第２の対象物９上のタグ１９から情報を読み取り、第１の対象物及び少なくとも第２の対象物に関するデータを検索し、第１の対象物１１及び少なくとも第２の対象物９の使用に関する規則１７を検索するようにプログラムすることが好ましい。規則は、着衣規則であっても、食品規則であっても、薬剤規則であっても、又は任意の他のコーディネート規則であってもよい。対象物上の情報は、サーバ１５上のリモート・データベースから検索することができ、一方、規則はリモート・サーバ１４から検索することができる。検索はインターネット１６を介して行うことができる。さらに、適用する規則は、パーソナル・コンピュータ、携帯情報端末又は規則エディタを有する他のデバイスのような演算装置１３によりカスタマイズすることもできるし、又は変更することもできる。すなわち、ユーザの演算装置１３上のアプリケーションを使用して、ユーザは、ユーザ自身のファッションの一意のセンスを反映するために、セット内の規則を変更（追加、削除、変更）することができる。
【０００８】
図２を参照すると、この図は、ファッションをコーディネートするための方法２０のフローチャートである。ユーザは、ステップ２１において、衣類のタグを読み取るために、デバイス（携帯通信機器１２など）の隣に衣類を置くことができる。デバイス１２は、ステップ２２において、衣類の情報（タイプ、スタイル、色等）にアクセスし、これをユーザに知らせる。ユーザが、ステップ２３において、この衣服を購入したい場合には、この衣服がステップ２４においてその衣服のアンサンブル・セットに追加される。そうでない場合には、このことは無視され、方法２０はステップ２１に戻る。ステップ２５において、ユーザがこれを購入することにしたが、これがそのセット内の第１の物品でない場合には、携帯通信機器は、ステップ２６において、この着衣規則を、追加した新しい衣服と一緒にこのセットに適用する。ステップ２７において、ユーザに結果（どれとどれが組になるのか、違反となった規則はどれなのか等）が通知される。この決定点２８において、必要に応じて、ユーザは、その衣服を購入することができ、ステップ２９において他の衣服のタグの読み取りを待機するか、又はそのセットからその衣服を削除するためにステップ２１に戻ることができる。
【０００９】
それ故、上記方法を念頭において、第１の対象物及び少なくとも第２の対象物を使用している場合に、規則を適用し、個人にフィードバックを行うようにプロセッサをプログラムすることができる。携帯通信機器１２は、さらに、第１の対象物及び第２の対象物のうちの少なくとも１つの対象物上のバーコードを走査するためのバーコード走査装置、又は別の方法としては、対象物と結合している無線周波識別タグから無線で情報を読み取るためのトランシーバを含むことができる。
【００１０】
図１及びシステム１０内の衣類又は衣服に関する特定の例を参照すると、タグは、ＲＦＩＤデバイスのような衣類の種類に一意のＩＤをコード化する受動電子タグであってもよい。衣類の種類は、衣類のＳＫＵであってもよいし、又は品目のタイプ（例えば、パンツ、シャツ）に関する任意の他のコードであってもよい。携帯通信機器１２は、衣類のタグを作動し、衣類のＩＤを読み取る無線トランシーバを備えるウェアラブルな装置であってもよい。このデバイスは、また、上記の衣類データベース１５を主催し、アクセスする処理及び記憶機能を含むこともできるし、及び／又はリモート・サーバ上のデータベースにアクセスすることができる無線ワイド・エリア・セルラ・トランシーバを含むこともできる。衣類情報に対するデータベース・エントリには、キーとしての衣類ＩＤコードを介してアクセスすることができる。別の方法としては、データベースは、携帯通信機器１２上に位置することもできるし、又は図に示すように、インターネットを通してアクセスすることができるリモート・サーバのところに位置することもできる。
【００１１】
規則に関して説明すると、携帯通信機器１２により読み取ることができ、処理することができる形のファッション指針をコード化する一組の規則は、人間が読み取り可能な形式で再現するか、提示しなければならない。携帯通信機器は、また、ユーザが選択する衣類に着衣規則を適用するソフトウェア・アプリケーションを含むことができ、さらに規則への適合性のレベルを表示することができる。適合性の表示は、出力装置上の視覚的なものであってもよく、又は音声によるものであってもよい。ユーザが選択する衣類に適用されたファッションの規則を使用して、ユーザはファッショナブルであると考える衣類の全体的調和を容易に形成することができる。これにより、視覚障害者又は盲人は、他の人の助けを借りなくてすむようになる。さらに、規則を人間が読み取り可能な形式で表示することができ、ユーザはスタイルについての自分自身の一意のセンスを反映するために、これらのセットを変更（変更、削除、追加）することができる。このシステムは、数社が製品化するために使用しているＲＦＩＤ技術による最新のスマートフォン上で容易に主催することができる。
【００１２】
図３を参照すると、対象物を一緒に使用する妥当性をコーディネートするためのシステム３０は、個人が使用する第１の対象物３１上のタグ、その個人が使用する少なくとも第２の対象物３８上のタグ、及びプロセッサを有する携帯通信機器３２を含むことができる。好適には、プロセッサは、第１の対象物３１上のタグから、及び少なくとも第２の対象物３８上のタグから情報を読み取り、第１の対象物及び少なくとも第２の対象物に関するデータを検索し、第１の対象物３１及び少なくとも第２の対象物３８の使用に関する規則３７を検索するようにプログラムすることが好ましい。この特定の例の場合、規則は、例えば、ある薬剤が相互に使用できるかどうか、又は他の食品品目と一緒に使用することができるかどうかを示す薬剤コーディネート規則であってもよい。対象物に関する情報は、サーバ３５上のリモート・データベースから検索することができ、一方、規則はリモート・サーバ３４から検索することができる。検索はインターネット３６を介して行うことができる。さらに、適用する規則は、すでに説明したように、パーソナル・コンピュータ３３又は規則エディタを有する他の演算装置によりカスタマイズすることもできるし、又は変更することもできる。例えば、ユーザのＰＣ又は携帯情報端末上のアプリケーションを使用して、食品に関するユーザ自身の経験を反映するために、セットの中の規則を変更（追加、削除、変更）することができる。もちろん、任意の勧告を確認するために、及び自分自身の規則をカスタマイズする前に、医師に相談することをユーザに強く勧告する。必要に応じて、規則エンジンは、また行う前にこのような任意の変更を承認しなければならない制御エンティティ（例えば、自分の主治医）に任意の規則の変更を送るモードを有することができる。
【００１３】
図４を参照すると、この図は、薬剤をコーディネートするための方法４０のフローチャートである。ユーザは、ステップ４１において、薬剤のタグを読むためにデバイス（携帯通信機器１２など）の隣に薬剤又は薬剤容器を置くことができる。デバイス１２は、ステップ４２において、薬剤情報（タイプ、用量、ブランド等）にアクセスし、それをユーザに送る。ユーザが、ステップ４３において、この特定の薬剤を購入したい場合には、ステップ４４においてこの薬剤が薬剤セットに追加される。そうでない場合には、この薬剤は無視され、方法４０はステップ４１に戻る。ステップ４５において、ユーザがこの薬剤を購入し、この薬剤がそのセット内の第１の薬剤でない場合には、携帯通信機器は、ステップ４６において追加した新しい薬剤と一緒にこのセットに薬剤規則を適用する。ステップ４７において、ユーザに結果（どれとどれが組になるのか、違反となった規則はどれなのか等）が通知される。この決定点４８において、必要に応じて、ユーザはその薬剤を購入することを決め、ステップ４１に戻り、ステップ４９において他の薬剤のタグの読み取りを待機するか、又はそのセットからその薬剤を削除する。
【００１４】
本発明の上記説明から、本発明は、ハードウェア、ソフトウェア、又はハードウェア及びソフトウェアの組合せにより実行することができることを理解されたい。本発明による無線通信を使用する対象物の使用をコーディネートするための方法及びシステムは、１つのコンピュータ・システム又はプロセッサで集中的に実行することもできるし、又は異なる要素が、相互に接続しているいくつかのコンピュータ・システム又はプロセッサ（マイクロプロセッサ及びＤＳＰなど）を横切って散在している場合には、分散的に実行することができる。任意のタイプのコンピュータ・システム又は本明細書に記載する方法を実行することができる他の装置が適している。ハードウェア及びソフトウェアの典型的な組合せは、ロードされ実行された場合に、本明細書に記載する方法を実行するようにコンピュータ・システムを制御するコンピュータ・プログラムを含む汎用コンピュータ・システムであってもよい。
【００１５】
本発明は、また本明細書に記載する方法を実施することを可能にするすべての機能を備えていて、コンピュータ・システム内にロードした場合に、これらの方法を実施することができるコンピュータ・プログラム製品内に埋め込むこともできる。この場合、コンピュータ・プログラム又はアプリケーションは、情報処理機能を有するシステムに、直接、又は下記のａ）他の言語、コード又は表記法への変換、ｂ）異なる材料の形での再生の一方又は両方の後で特定の機能を実行させるための一組の命令の任意の言語、コード又は表記法による任意の表現を意味する。
【００１６】
さらに、上記説明は、単に例示としてのものであって、添付の特許請求の範囲の記載を除いて、本発明を如何なる意味でも制限するものではない。
【図面の簡単な説明】
【００１７】
【図１】本発明によるファッションをコーディネートするためのシステムのブロック図。
【図２】本発明によるファッションをコーディネートするための方法を示すフローチャート。
【図３】本発明による薬剤の使用をコーディネートするためのシステムのブロック図。
【図４】本発明による薬剤の使用をコーディネートするための方法を示すフローチャート。
【図１】
2007525739.tif 000003
【図２】
2007525739.tif 000004
【図３】
2007525739.tif 000005
【図４】
2007525739.tif 000006
【国際調査報告】
2007525739.tif 000007
2007525739.tif 000008